(57)【要約】 【課題】本発明は、凸部付揚送ベルト（搬送ベルト）の交換作業が容易に素早く行えることにより作業者のメンテナンスする時間が短縮され、組立て時においても短時間で組立てることにより、組立て費用が低減し、製品のコストダウンを図ることが出来る、玉供給装置を提供する。【解決手段】玉供給装置は、回転軸を軸支した上方の上部ローラと、回転軸を軸支した下方の下部ローラと、上部ローラと下部ローラとに巻回する凸部付揚送ベルトと、下部ローラの回転軸を嵌合させるリフト本体部と、両側面に設けた溝部に上部ローラの回転軸を嵌合させてリフト本体部に取付ける上部ローラ固定カバーと、凸部付揚送ベルトを覆う背面カバーと、凸部付揚送ベルトを駆動させる駆動モータと、から構成した。【選択図】図３
2005324070.tif 000002
【特許請求の範囲】
【請求項１】
遊技島に備え、パチンコ玉を下方から傾斜姿勢にて揚送して排出させる玉供給装置において、
上記玉供給装置は、回転軸を軸支した上方の上部ローラと、回転軸を軸支した下方の下部ローラと、前記上部ローラと前記下部ローラとに巻回する凸部付揚送ベルトと、前記下部ローラの回転軸を嵌合させるリフト本体部と、両側面に設けた溝部に前記上部ローラの回転軸を嵌合させて前記リフト本体部に取付ける上部ローラ固定カバーと、前記凸部付揚送ベルトを覆う背面カバーと、前記凸部付揚送ベルトを駆動させる駆動モータと、から構成したことを特徴とする循環還流システムで使用する玉供給装置。
【発明の詳細な説明】
【技術分野】
【０００１】
本発明は、遊技島に複数台列設されたパチンコ遊技機及び遊技媒体貸出機と、上部タンクを設けた玉揚送装置と、遊技島内に玉貯留タンクとを備えて循環還流させるように成した循環還流システムに関わり、パチンコ玉を下方から傾斜姿勢にて揚送して排出させる循環還流システムで使用する玉供給装置に関する。
【背景技術】
【０００２】
パチンコ遊技店の遊技島は、例えば複数台１５台乃至２０台程度のパチンコ遊技機を片面または両面に直線状に列設（横方向）させて配設した複数列の遊技島と、この複数列の遊技島に対向する位置に少し幅広の通路（中通路）を挟んで前後方向に配設した複数列の遊技島と、から構築されている。
【０００３】
遊技島においては、片面の所謂壁島の場合、略１５万発程度の、また両面の所謂両面島の場合は、略３０万発程度のパチンコ玉が使用（保有）され、循環還流するように成っており、各パチンコ遊技機及び各遊技媒体貸出機に対して上部の補給樋からパチンコ玉が補給される。この遊技島には上部タンクを備えてパチンコ玉を磨きながら揚送する玉揚送装置と、島内に多量のパチンコ玉を貯留させる玉貯留タンクとが備えられ、該玉貯留タンク内に貯留した玉を循環還流（システム）が提供されている。
【０００４】
上記遊技島において、島内に貯留した玉を循環還流させるシステムは、例えば遊技島内に多量のパチンコ玉を貯留させる玉貯留タンクと、この玉貯留タンクの端部の玉排出口に設けられた玉供給装置と、この玉供給装置若しくは各パチンコ遊技機から回収樋に排出されたパチンコ玉を上方に磨きながら揚送する玉揚送装置と、この玉揚送装置の上部には揚送されたパチンコ玉を一時貯留（貯留部）させておく上部タンクと、この上部タンクから各パチンコ遊技機や各遊技媒体貸出機に対してパチンコ玉を補給する補給樋と、上部タンクから溢れたパチンコ玉を玉貯留タンクに戻すためのオーバーフロー樋と、から大略構成され、島内のパチンコ玉が循環還流するようにし、営業に支障（補給トラブル等）がないようにしている。
【０００５】
上記循環還流させるシステムにおいて、遊技島内に貯留した玉貯留タンクの玉排出口から排出するように玉供給装置が設けられている。
循環還流させるシステムで使用される玉供給装置は、垂直姿勢と成し、駆動モータにより駆動する二本の揚送ベルトにパチンコ玉を挟持して揚送する構成としたものや、傾斜姿勢と成し複数の凸部を形成し、駆動モータにより駆動する桟付揚送ベルトの凸部にパチンコ玉を乗せて揚送する構成としたものが提供されている。
上記したうち、傾斜姿勢と成し、桟付揚送送ベルトの表面の凸部にパチンコ玉を乗せて揚送する構成の玉供給装置が例えば、下記の特許文献１にて開示されている。
【特許文献１】特開平８−８９６４８号公報
【０００６】
特許文献に示した玉供給装置（遊技球揚送装置）の構成を記載すれば、回転駆動源と、この回転駆動源により、回転駆動する第１ベルト車と、第２ベルト車と、これら第１ベルト車と第２ベルト車の間に張設された駆動ベルトと、第２ベルト車と同軸に固定された駆動車と、従動車と、これら駆動車と従動車の間に張設された搬送ベルト、とから構成されている。
また、この搬送ベルトの表面には、搬送ベルトの幅とほぼ同じ幅の桟部材が、その長手方向が搬送ベルトの張設の方向に垂直になるように設けられている。
【発明の開示】
【発明が解決しようとする課題】
【０００７】
しかしながら、上記した玉供給装置（遊技球揚送装置）の構成においては、長年使用していると、搬送ベルトの表面の桟部材にパチンコ玉を乗せて揚送するため、搬送ベルトの表面が汚れてくる。また、搬送ベルトが亀裂して切断してしまうことがあり、搬送ベルトを交換しなくてはならない。搬送ベルトを交換するにあたっては、第１ベルト車と第２ベルト車の間に張設された駆動ベルトを外した後に駆動車と従動車の間に張設された搬送ベルトを外すため、交換が面倒で作業し難く素早く交換することが出来なかった。
また、組立てる作業においても、多大の時間を要しまいコストアップとなっていた。つまり、軸支されている駆動車と従動車とを工具にて外す作業、元に戻す作業等をしなくてはならなかった。
【０００８】
本発明は、以上の点に鑑みなされたもので、目的は、凸部付揚送ベルト（搬送ベルト）の交換作業が容易に素早く行えることにより作業者のメンテナンスする時間が短縮され、組立て時においても短時間で組立てることにより、組立て費用が低減し、製品のコストダウンを図ることが出来る、玉供給装置を提供する。
【課題を解決するための手段】
【０００９】
本発明の構成は、遊技島に備え、パチンコ玉を下方から傾斜姿勢にて揚送して排出させる玉供給装置において、上記玉供給装置は、回転軸を軸支した上方の上部ローラと、回転軸を軸支した下方の下部ローラと、前記上部ローラと前記下部ローラとに巻回する凸部付揚送ベルトと、前記下部ローラの回転軸を嵌合させるリフト本体部と、両側面に設けた溝部に前記上部ローラの回転軸を嵌合させて前記リフト本体部に取付ける上部ローラ固定カバーと、前記凸部付揚送ベルトを覆う背面カバーと、前記凸部付揚送ベルトを駆動させる駆動モータと、から構成したことによって達成される。
【発明の効果】
【００１０】
以上、本発明の構成によれば、玉供給装置において長年使用している凸部付揚送ベルト（搬送ベルト）の交換作業が容易に素早く行えることで作業者のメンテナンスする時間が短縮され、組立て時においても短時間で組立てることにより、組立て費用が低減し、製品のコストダウンを図ることが出来ることで、所期の目的を果たすことが出来る。
【発明を実施するための最良の形態】
【００１１】
以下、図面に示した実施形態を詳細に説明していく。図１は循環還流システムで使用する玉供給装置の構成を示す外観斜視図であり、図２は玉供給装置の正面カバーとベルトカバーを外した時の状態を示す外観斜視図であり、図３は本発明の玉供給装置の各構成を分解した状態を示す外観分解斜視図である。
【実施例１】
【００１２】
先ず始めに、図４に基づいて遊技島に配備された循環還流システムの構成について説明する。
遊技島は、複数台のパチンコ遊技機及び遊技媒体貸出機（周知なので共に不図示）列設されており、後述する循環還流システム１の各構成が配備されている。図４に示す遊技島は主に中央付近の玉揚送装置６より一方側（右側半分）のみを図示している。また、他方側（左側半分）にも同様の構成（玉貯留タンク７、玉供給装置２０等）が備えられているが、図は略されている。尚、本発明の循環還流システムの構成に限定されるものでない。
【００１３】
循環還流システム１は、各遊技島に複数台列設されたパチンコ遊技機及び遊技媒体貸出機と、パチンコ玉を磨きながら揚送する上部タンク５を備えた玉揚送装置６と、遊技島内に多量のパチンコ玉を貯留する玉貯留タンク７（例えば、メイン玉貯留タンク７Ａ及びサブ玉貯留タンク７Ｂ）とが備えられ、該玉貯留タンク７から排出したパチンコ玉を上記玉揚送装置６により上部タンク５内に揚送され、該上部タンク５から各パチンコ遊技機及び各遊技媒体貸出機に補給樋８により補給され、該上部タンク５内にて余剰したパチンコ玉を再び玉貯留タンク７に戻すためのオーバーフロー樋１０にて循環還流するように構成されている。
また、上部タンク５の側面には隣接した遊技島の上部タンク５へ供給したり、受給したりすることができる一本又は二本のバランス樋（不図示）が掛け渡され、各遊技島の玉貯留量に応じて、バランス樋にて供給、受給することで、隣接した遊技島内の玉貯留量を均等化にさせることが出来るようにしている。
【００１４】
パチンコ遊技店の遊技島においては、複数台１５台乃至２０台程度のパチンコ遊技機を片面または両面に直線状に列設させ左右方向に配設した複数列の遊技島と、この複数列の遊技島に対向する位置に少し幅広の中通路を挟んで前後方向に同じように左右方向に配設した複数列の遊技島と、から構築されている（図５参照）。また、図示しないが、何れかの遊技島の端縁には、遊技客が獲得した景品玉を計数する、景品玉計数機（不図示）が設置され、この景品玉計数機に投入されたパチンコ玉は計数後、回収樋にて回収される。
【００１５】
左右方向に配設した遊技島とは、片面または両面に横方向に配設され、パチンコ遊技機毎に椅子が設置され、僅かな通路が形成された遊技島のことを言う。
また、中通路とは、少し幅広の通路に形成され、各遊技島の島端には遊技設備（玉計数機や両替機やカード発券機等）が設置されている通路のことを言う。
前後方向に配設した遊技島とは、上述した中通路を挟んで対向した位置に左右方向に配設した遊技島のことを言う。
【００１６】
図４に示した遊技島内には、略１５万発程度の、また両面の両面島の場合は、略３０万発程度のパチンコ玉が島内の玉貯留タンク７内に貯留（保有）されている。上記した玉貯留タンク７は、遊技島に列設されるパチンコ遊技機の台数によって設置個数（少なくとも一個以上）、多量のパチンコ玉を貯留する長さが異なるものを備えるようになっていて、ここでは、一つのメイン玉貯留タンク７Ａ（長めの略長方形状と成し、約１０万個収納可能）と、このメイン玉貯留タンク７Ａに順次に接続される一つのサブ玉貯留タンク７Ｂ（メイン玉貯留タンク７Ａより少し短めの略長方形状と成し、約５万個収納可能）との二個の玉貯留タンク７が備えられている（ここでは、他方側は省略）。
【００１７】
さらに、遊技島の各設備品について説明する。
枠体で構築された遊技島には、複数台のパチンコ遊技機と遊技媒体貸出機とが交互に配設されている。このパチンコ遊技機の下方には、排出されたパチンコ玉（アウト玉）を回収する回収樋９が玉揚送装置６に向かって傾斜状に設けられている。略中央付近には回収したパチンコ玉を揚送する玉揚送装置６（例えば、布磨き揚送装置）が備えられ、磨きながら上部タンク５に揚送させている。パチンコ遊技機の上方には、磨かれた上部タンク５内のパチンコ玉を補給する補給樋８が端部に向かって傾斜状に設けられている。尚、上部タンク５内において余剰したパチンコ玉はオーバーフロー樋１０にて島内に戻される。
【００１８】
玉揚送装置６の上部タンク５は、パチンコ玉を一時貯留しておく貯留部（空間）が設けられていて、上部タンク５に設けた各々の排出口に補給樋８が、またオーバーフロー樋１０が接続されている。上部タンク５内には複数位置に検知部５ａ（検出ＳＷ）が設けられ、該検知部５ａにて貯留量が減少していき検知すると、島内の玉供給装置２０を駆動させるようにしている。遊技島内の玉揚送装置６の両側には複数の玉貯留タンク７が備えられている。該各々の玉貯留タンク７は、多量のパチンコ玉を貯留させておく、長さを有した略長方形状に形成されている。また、各々の玉貯留タンク７には側壁に検知部７ａ、７ｂ（例えば、上限検出ＳＷ７ａ、下限検出ＳＷ７ｂ）が各々の高さの位置に設けられている。
島内の玉揚送装置６寄りの玉貯留タンク７には小型の玉供給装置２０が隣接して設けられている。この玉供給装置２０が駆動すると、玉貯留タンク７内のパチンコ玉が回収樋９へと排出され、玉揚送装置６にて揚送され、上部タンク５内にて一時貯留される。このように玉貯留タンク７内の下方寄りに貯留しているパチンコ玉を順次玉供給装置２０によって、僅かに持ち上げて放出することが出来るようにしている。
【００１９】
次に、本発明の要旨である玉供給装置２０の構成について説明する。
図１乃至図３に基づいて玉供給装置２０の細部の構成を詳述する。
玉供給装置２０は、下部両側面に下部ローラ取付け用の溝部２２ａを設けた傾斜姿勢のリフト本体部２２と、両側面に上部ローラ取付け用の溝部２１ａを設けた上部ローラ固定カバー２１と、回転軸２３ａを軸支した上方の上部ローラ２３と、回転軸２５ａを軸支した下方の下部ローラ２５と、上部ローラ２３と下部ローラ２５とを巻回する凸部付揚送ベルト２４と、該凸部付揚送ベルト２４を駆動させる駆動モータ２７（駆動機構含む）と、背面の背面カバー２８と、下方の玉受けガイドカバー２９と、正面の正面カバー３０と、から大略構成されている。
上部ローラ２３は、円筒形状のローラと成し、該ローラに回転軸２３ａが軸支されている。下部ローラ２５も、円筒形状のローラと成し、該ローラに回転軸２５ａが軸支され、さらに駆動プーリー２５ｂも軸支されている。
【００２０】
リフト本体部２２は、下部が僅かな垂直と成した垂直部位２２ｂを有し、該垂直部位２２ｂから傾斜した姿勢の断面コの字状に形成され、玉貯留タンク７の排出口の取付具に隣接して取付けられる。このリフト本体部２２の垂直部位２２ｂの両側面に下部ローラ取付け用の溝部２２ａ（凹部）が設けられている。この溝部２２ａに下部ローラ２５（駆動プーリー２５ｂ）が軸支された両側の回転軸２５ａが溝部２２ａに嵌合し係止される。このリフト本体部２２の垂直部位２２ｂに、上面を湾曲に形成した玉受けガイドカバー２９が取付けられる。該玉受けガイドカバー２９は、パチンコ玉が下（床面）に零れ落ちないようにするためのものである。
また、リフト本体部２２には、背面側に凸部付揚送ベルト２４を覆う長方形と成した背面カバー２８が取付けられている。該背面カバー２８は、排出しなかったパチンコ玉を戻す通路と成すことで、パチンコ玉が下（床面）に零れ落ちないようにしている。
さらに正面側には凸部付揚送ベルト２４を覆う長方形と成し、透明状の正面カバー３０が取付けられている。該正面カバー３０を透明にすることにより、凸部付揚送ベルト２４の駆動状況が見られる。
【００２１】
リフト本体部２２の側面の中央付近には、凸部付揚送ベルト２４が正常に回転しているか、異常かを検知する検知部２４ｂ（回転検知ＳＷ）設けられている（図１参照）。例えば、上部タンク５内に設けた検知部５ａ（検出ＳＷ）にて貯留量が減少していき検知すると何れか側の玉供給装置２０が駆動する。要求出力があると、玉供給装置２０の凸部付揚送ベルト２４は、駆動モータ２７によって回転駆動するように成しているが、長年使用していると駆動モータ２７の故障や、凸部付揚送ベルト２４の切断等のトラブルが生じる。このような時、検知部２４ｂにて異常と検知すると、玉供給装置２０が駆動トラブルを発生している報知されることで店員が早期に発見し、修復作業を行うことができる。尚、検知部２４ｂにて検知した場合は、トラブルとして外部表示に報知している。
【００２２】
リフト本体部２２の側面には、当該リフト本体部２２の傾斜姿勢を支えて支持するモータ取付け板２６の一端が取付けられている。当該モータ取付け板２６は、リフト本体部２２を支持するほかに、駆動機構である駆動モータ２７を軸支するために矩形状に形成されている。また該モータ取付け板２６の端縁（リフト本体部取付け側）には三箇所の長孔２６ａに螺子２６ｂが、また、凹部に張力調整部が設けられている。この三箇所の長孔２６ａと、張力調整部により、モータ取付け板２６がスライドして後述する駆動モータ２７の駆動プーリー２７ａと下部ローラ２５とに巻回した駆動ベルト２７ｂ（タイミングベルト）の張り具合を調整することができる。なお、図１は、駆動ベルト２７ｂにベルトカバー２７ｃが被せられ状態を示し、図２はベルトカバー２７ｃを外した状態を示している。ベルトカバー２７ｃを被せることにより、店員が駆動時に作業する際の怪我が防げる。
このように、リフト本体部２２とは別のモータ取付け板２６に駆動モータ２７を取付けることにより、駆動モータ２７が故障した時の交換作業が容易に行える。
【００２３】
次に、上部ローラ固定カバー２１について説明する。上部ローラ固定カバー２１は、コの字状に形成され、下部両側面に上部ローラ取付け用の溝部２１ａ（凹部）が設けられている。そして、リフト本体部２２の上方で上部ローラ２３の両側の回転軸２３ａを溝部２１ａに嵌合して被せて支持させた後にリフト本体部２２の上端に取付けられる。また、リフト本体部２２の開口付近の上端両側には張力調節部が設けられている。張力調節部は、折曲片２２ｃと螺子２２ｄから成し、該折曲片２２ｃに螺子２２ｄをねじ込み、該螺子２２ｄの先端が上部ローラ２３の両側の回転軸２３ａに当接することで調節するようにしている。この張力調節部を調節することにより、リフト本体部２２に巻回した後に凸部付揚送ベルト２４の張り具合を調節することが出来る。
【００２４】
次に、凸部付揚送ベルト２４について説明する。
凸部付揚送ベルト２４は、リフト本体部２２の長さと略同じ長さを有していて、エンドレスの揚送ベルトと成している。揚送ベルトの表面には適宜間隔（例えば、三センチ間隔の隙間）をおいて凸部２４ａ（桟部材）が全周に渡ってゴム材等から形成されている。凸部２４ａはベルト面に対して垂直に立設されているため、該凸部２４ａにパチンコ玉を乗せることが出来る。凸部付揚送ベルト２４がリフト本体部２２に組み込まれ、複数設けた各凸部２４ａにパチンコ玉を複数個乗せて下方位置から上方位置に揚送させて回収樋９へと排出させることが出来るため、短時間で多量のパチンコ玉が揚送される。なお、凸部付揚送ベルト２４の回転速度は駆動モータ２７の制御により、回転する速度が制御される。
【００２５】
以上で説明した、玉供給装置２０に組み込まれた凸部付揚送ベルト２４の交換作業の手順について説明する。ここでは、リフト本体部２２から凸部付揚送ベルト２４を外す作業手順のみ説明し、組み立てる作業手順は逆の手順作業を行えば良いので、説明は省略する。また、中通路バランスを行う玉供給装置４０においても傾斜滑り台４１以外は同様なので説明は省く。
【００２６】
長年使用し、亀裂や汚れ等にて凸部付揚送ベルト２４を交換する場合、先ず、店員（修理作業者等）は、リフト本体部２２の上方の上部ローラ固定カバー２１を外す（螺子を外す）。次いでリフト本体部２２の下方の玉受けガイドカバー２９も外す（螺子を外す）。次いで背面側の背面カバー２８も外す（螺子を外す）。そうすると、上部ローラ２３と下部ローラ２５との張力が解除されることにより、上部ローラ２３が凸部付揚送ベルト２４から抜き取ることが出来、リフト本体部２２から凸部付揚送ベルト２４が取り外せる。そして、新しい凸部付揚送ベルト２４を装着することが出来る。このように凸部付揚送ベルト２４がリフト本体部２２から容易に素早く取り出すことが出来るため店員（修理作業者等）のメンテナンスする時間が短縮される。
【００２７】
上述したように新しい凸部付揚送ベルト２４を交換する場合、玉貯留タンク７から流出するパチンコ玉を止める必要がある。そこで、玉貯留タンク７の排出口付近に玉止め機構５０が設けられている。
次に、玉止め機構５０の構成について説明する。
図７及び図８に示すように、玉止め機構５０は略矩形形状の玉止め板５１と、玉止め支持板５２とから大略構成されている。玉貯留タンク７の排出口付近に折曲に形成した玉止め支持板５２が取付けられ、該玉止め支持板５２の上端に螺子５２ａが取付けられている。折曲した両側の玉止め支持板５２を挟んでスライドする玉止め板５１が装着されている。該玉止め板５１の両側面にはスライド長孔５１ａが設けられ、このスライド長孔５１ａに沿って上記した螺子５２ａが嵌合されることで、玉止め板５１が固定したまま水平姿勢から垂直姿勢へと姿勢変化することが出来る。このような姿勢変化する玉止め機構によれば、地震等で誤って自然落下し、営業中に玉止めトラブルが生じることがない。
なお、操作は手作業によって行われる。この作業時において玉止め板５１が固定されているため、紛失することがない。
玉止め機構５０の操作は、図７のように玉止め板５１が水平姿勢の時（開けた状態）は、玉貯留タンク７からパチンコ玉が流出し、図８のように玉止め板５１が垂直姿勢の時（閉じた状態）は、玉貯留タンク７の排出口を塞ぐことによりパチンコ玉が流出しない。つまり、玉止めしていることとなる。
【００２８】
次に、上記した玉供給装置を循環還流システムの他で使用する実施形態を説明する。
図５に示すように玉供給装置４０が中通路を挟んだ遊技島の上方端部の架台１３にそれぞれ固定されている。
ここでの玉供給装置４０の構成について説明する。
該玉供給装置４０は、リフト本体部４２に備えた凸部付揚送ベルト２４及び該ベルトを回転駆動させる駆動モータ２７（駆動機構等）と、傾斜滑り台４１とから大略構成されている。つまり、この玉供給装置４０は、リフト本体部４２の上端に軸支され、下方に向かって傾斜する傾斜滑り台４１が備えられている（よって、リフト本体部４２（２２）の構造が共通部品として使えるのでコスト低減となる）。
玉供給装置４０の傾斜滑り台４１の先端側は支持部材１５に固定され、傾斜滑り台４１と支持部材１５の間には水平状のバランス樋１２にて隣島から転動してきたパチンコ玉を受け入れる開口した隙間（不図示）が設けられ、該隙間から受け入れたパチンコ玉は玉供給口（不図示）に導かれる。この玉供給口には玉供給パイプ１４が接続され、玉供給パイプ１４から回収樋９又は玉貯留タンク７内に供給される。
【００２９】
次に、ここでの玉供給装置の作用について説明する。
玉供給装置４０の傾斜滑り台４１は、上述した凸部付揚送ベルト２４で放出されたパチンコ玉をバランス樋１２に送り出して転動させるためのもので、傾斜した姿勢（約６０度）の通路と成している。該傾斜滑り台４１の上端と、リフト本体部４２の上端とを軸支して略正三角形の傾斜した姿勢にして架台１３に固定されている。このような姿勢の角度に備えることにより、供給樋１１から供給されたパチンコ玉は玉供給装置４０の凸部付揚送ベルト２４にて揚送し、上方から放出したパチンコ玉にさらに勢いを付け、この勢いを維持させたまま滑っていくようにしている。よって、中通路を挟んで遊技島において玉貯留量が増減した場合、何れか側の玉供給装置４０を駆動させることにより、バランス樋１２にてパチンコ玉を供給、受給することが可能となる。
【図面の簡単な説明】
【００３０】
【図１】本発明の玉供給装置の構成を示す外観斜視図である。
【図２】玉供給装置の正面カバーと、ベルトカバーを外した状態を示す外観斜視図である。
【図３】本発明の玉供給装置の各構成を分解した状態を示す外観分解斜視図である。
【図４】本発明の玉供給装置が取付けられる遊技島を示す図ある。
【図５】本発明の玉供給装置を他の実施で使用する状態の遊技島を示す図である。
【図６】玉貯留タンクに隣接して取付けられた玉供給装置を示す図である。
【図７】玉貯留タンクに設けた玉止め機構の動作のうち開けた状態を示す図である。
【図８】玉貯留タンクに設けた玉止め機構の動作のうち閉じた状態を示す図である。
【符号の説明】
【００３１】
１      循環還流システム
５      上部タンク
６      玉揚送装置
７      玉貯留タンク
２０    玉供給装置（遊技島内用）
２１    上部ローラ固定カバー
２１ａ  溝部（凹部）
２２    リフト本体部
２２ａ  溝部（凹部）
２３    上部ローラ
２４    凸部付揚送ベルト
２５    下部ローラ
２７    駆動モータ（駆動機構）
４０    玉供給装置（中通路バランス用）
５０    玉止め機構
【図１】
2005324070.tif 000003
【図２】
2005324070.tif 000004
【図３】
2005324070.tif 000005
【図４】
2005324070.tif 000006
【図５】
2005324070.tif 000007
【図６】
2005324070.tif 000008
【図７】
2005324070.tif 000009
【図８】
2005324070.tif 000010